(57)【特許請求の範囲】
【請求項１】
原稿の長手方向に沿って形成された長辺と、原稿の短手方向に沿って形成された短辺からなり、原稿を載置する原稿台と、
前記原稿台に載置された原稿を読み取る読み取り手段が設けられた筐体と、
前記筐体を傾斜姿勢に保持する保持手段と、
前記傾斜姿勢にある前記原稿台の下端に位置し、原稿の下端を支持する規制部と、
前記原稿台に対して原稿の下端を押さえる原稿押さえ部材と、
前記原稿台に対して開いた状態と閉じた状態とを取る開閉体と、
前記開閉体に設けられた原稿マットと、
を備え、
前記原稿押さえ部材は、前記原稿台に対して所定の開き角を成す第１状態と、前記原稿台からの原稿の浮きを抑える第２状態とで切り換え可能に設けられており、
前記開閉体が閉じることによって前記原稿マットが前記原稿押さえ部材と接触し、前記原稿押さえ部材が前記第１状態から前記第２状態へと切り換わる、
ことを特徴とする画像読取装置。
【請求項２】
原稿の長手方向に沿って形成された長辺と、原稿の短手方向に沿って形成された短辺からなり、原稿を載置する原稿台と、
前記原稿台に載置された原稿を読み取る読み取り手段が設けられた筐体と、
前記筐体を傾斜姿勢に保持する保持手段と、
前記傾斜姿勢にある前記原稿台の下端に位置し、原稿の下端を支持する規制部と、
前記原稿台の下端に設けられ、前記原稿台に対して原稿の下端を押さえる原稿押さえ部材と、
前記筐体に設けられ、前記短辺に沿って延びる回動軸と、
前記回動軸を介して前記筐体に取り付けられ、前記回動軸を回動支点として前記原稿台に対して開いた状態と閉じた状態とを取る開閉体と、
前記開閉体に設けられた原稿マットと、
を備え、
前記傾斜姿勢において、前記回動軸は鉛直方向のベクトル成分を有して延びており、
前記原稿押さえ部材は、前記開閉体が開いた状態において前記原稿台に対して所定の開き角を成す第１状態を取り、前記開閉体が閉じた状態において前記原稿台からの原稿の浮きを抑える第２状態を取るように構成され、
前記原稿は、前記原稿押さえ部材が前記第１状態において、前記原稿押さえ部材によって前記規制部に案内される、
ことを特徴とする画像読取装置。
【請求項３】
請求項１に記載の画像読取装置において、
前記筐体は前記短辺に沿って延びる回動軸と、を備え、
前記傾斜姿勢において、前記回動軸は鉛直方向のベクトル成分を有して延びており、
前記開閉体は前記回動軸を介して前記筐体に取り付けられており、前記回動軸を回動支点として前記開いた状態と前記閉じた状態とを取る、
ことを特徴とする画像読取装置。
【請求項４】
請求項１から請求項３のいずれか一項に記載の画像読取装置において、前記押さえ部材は付勢手段によって前記原稿台から離れる方向に付勢されており、
前記開閉体が前記付勢手段の付勢力に抗して閉じることによって前記原稿押さえ部材が前記第１状態から前記第２状態へと切り換わる
ことを特徴とする画像読取装置。
【請求項５】
請求項４に記載の画像読取装置において、前記開閉体が、前記筐体と係合して前記開閉体の閉状態を維持するフックを備える、
ことを特徴とする画像読取装置。
【請求項６】
請求項５に記載の画像読取装置において、前記開閉体が開いた状態から、閉じて前記フックが前記筐体と係合する過程において、前記付勢手段における前記原稿押さえ部材を付勢する部位が前記フックと係合して当該フックを付勢する状態に切り換わる、
ことを特徴とする画像読取装置。
【請求項７】
請求項２または請求項３に記載の画像読取装置において、前記回動軸は、前記原稿台に載置された原稿の厚み方向に変位可能に設けられている、
ことを特徴とする画像読取装置。
【請求項８】
請求項７に記載の画像読取装置において、前記原稿押さえ部材と係合して当該原稿押さえ部材の前記第２状態を保持するストッパー部を備える、
ことを特徴とする画像読取装置。
【請求項９】
請求項８に記載の画像読取装置において、前記原稿押さえ部材において前記ストッパー部と係合する係合部は、第１係合部と、当該第１係合部に対し原稿の厚み方向に間隔を空けて配置された第２係合部と、を備え、
原稿の厚みに応じ、前記ストッパー部と係合する係合部が前記第１係合部及び前記第２係合部のいずれかに切り換わる、
ことを特徴とする画像読取装置。
【発明の詳細な説明】
【技術分野】
【０００１】
本発明は、スキャナに代表される画像読取装置に関する。
【背景技術】
【０００２】
従来、画像読取装置では原稿を載置する原稿台が略水平に設置される横置き状態とし、原稿台に載置された原稿を画像読取部で読み取ることが行われている。この状態では、画像読取装置の設置面積が大きいことから、当該画像読取装置の設置スペースの確保が問題となる。
【０００３】
この問題を解決すべく、画像読取装置を縦置きの状態で保持することができるスタンドを備えたものがある（特許文献１）。この画像読取装置では、縦置きの状態で画像を読み取ることができ、非使用時においても縦置き状態を保持できるので設置面積が小さくなり、画像読取装置の利便性と収納性が向上する。
【０００４】
しかしながら縦置きの場合、原稿台に載置した原稿が滑り落ち、或いは位置ずれが生じて、期待するスキャン結果が得られない虞がある。特許文献１記載の画像読取装置では、原稿台を開閉するカバーに設けられた圧着シートによって原稿エッジを原稿台下端の段差に誘導し、原稿の滑り落ちを抑制する様に構成している。  
尚、特許文献２、３には、縦置きではないが横置きのスキャナにおいて原稿端部を原稿台に対し圧着（保持）する手段を備えた構成が開示されている。
【先行技術文献】
【特許文献】
【０００５】
【特許文献１】特開２００６−１８６７７１号公報
【特許文献２】特開平０９−１６３０４８号公報
【特許文献３】特開２００４−０２０９８７号公報
【発明の概要】
【発明が解決しようとする課題】
【０００６】
上記特許文献１記載の画像読取装置では、原稿台を開閉するカバーの回動軸を下側に設定しなければならず、カバーの開き方向を自由に設定することができない。  
また特許文献２、３記載の様な、原稿端部を原稿台に対し圧着する手段を適用することも考えられるが、原稿端部を原稿台に対して常に圧着する状態であるため、原稿を載置する前に圧着状態を解除する必要があり、操作性が劣る。
【０００７】
そこで本発明はこの様な状況に鑑みなされたものであり、その目的は、操作性に優れ、且つ原稿台からの原稿の滑り落ちを抑制或いは防止することのできる画像読取装置を提供することにある。
【課題を解決するための手段】
【０００８】
上記課題を解決する為に、本発明の第１の態様に係る画像読取装置は、原稿を載置する原稿台および当該原稿台に載置された原稿を読み取る読み取り手段が設けられた筐体と、前記筐体を傾斜姿勢に保持する保持手段と、傾斜姿勢にある前記原稿台の下端に位置し、原稿の下端を支持する規制部と、前記原稿台に対して所定の開き角を成す第１状態と、原稿の前記下端の、前記原稿台からの浮きを抑える第２状態と、を切り換え可能な原稿押さえ部材と、前記原稿押さえ部材を前記第１状態に向けて付勢する付勢手段と、閉じた状態において前記原稿押さえ部材と係合して前記原稿押さえ部材を前記第２状態に保持する、前記原稿台を開閉する開閉体とを備えたことを特徴とする。
【０００９】
本態様によれば、原稿台に対して所定の開き角を成す第１状態と、原稿の下端の、前記原稿台からの浮きを抑える第２状態と、を切り換え可能な原稿押さえ部材は、付勢手段により前記第１状態に向けて付勢されているので、原稿セット時に前記原稿押さえ部材を開く必要がない。また、前記原稿台を開閉する開閉体が閉じる際、当該開閉体が前記原稿押さえ部材と係合して前記原稿押さえ部材を前記第２状態に保持するので、前記原稿押さえ部材の前記第１状態から前記第２状態への切り換えも、それ単独で行う必要がない。以上により、操作性に優れ、且つ原稿台からの原稿の滑り落ちを抑制或いは防止できる画像読取装置を提供することができる。
【００１０】
本発明の第２の態様は、第１の態様において、前記開閉体が、前記筐体と係合して前記開閉体の閉状態を維持するフックを備えることを特徴とする。  
本態様によれば、前記開閉体が、前記筐体と係合して前記開閉体の閉状態を維持するフックを備えるので、前記開閉体が前記原稿押さえ部材から受ける反力による前記開閉体の浮き上がりを抑制し、即ち前記原稿台からの原稿の浮き上がりを抑制して、良好な画像読取結果を得ることができる。
【００１１】
本発明の第３の態様は、第２の態様において、前記開閉体が開いた状態から、閉じて前記フックが前記筐体と係合する過程において、前記付勢手段における前記原稿押さえ部材を付勢する部位が前記フックと係合して当該フックを付勢する状態に切り換わることを特徴とする。
【００１２】
前記フックにより、前記開閉体が前記原稿押さえ部材から受ける反力による前記開閉体の浮き上がりを抑制できるが、前記反力により前記開閉体が変形すると、前記原稿台からの原稿の浮き上がりが生じる。しかしながら本態様によれば、前記開閉体が閉じた状態では、前記付勢手段は前記フックを付勢する状態に切り換わる為、前記開閉体の変形を防止でき、ひいては前記原稿台からの原稿の浮き上がりを抑制して、良好な画像読取結果を得ることができる。
【００１３】
本発明の第４の態様は、第１から第３の態様のいずれかにおいて、前記開閉体の回動軸は、前記原稿台に載置された原稿の厚み方向に変位可能に設けられていることを特徴とする。
【００１４】
本態様によれば、前記開閉体の回動軸は、前記原稿台に載置された原稿の厚み方向に変位可能に設けられているので、厚手の原稿に対応することができ、良好な画像読取結果を得ることができる。
【００１５】
本発明の第５の態様は、第４の態様において、前記原稿押さえ部材と係合して当該原稿押さえ部材の前記第２状態を保持するストッパー部を備えることを特徴とする。
【００１６】
本発明の第６の態様は、第５の態様において、前記原稿押さえ部材において前記ストッパー部と係合する係合部は、第１係合部と、当該第１係合部に対し原稿の厚み方向に間隔を空けて配置された第２係合部と、を備え、原稿の厚みに応じ、前記ストッパー部と係合する係合部が前記第１係合部及び前記第２係合部のいずれかに切り換わることを特徴とする。
【００１７】
本態様によれば、原稿の厚みに応じ、前記ストッパー部と係合する係合部が前記第１係合部及び前記第２係合部のいずれかに切り換わる構成である為、原稿の厚みの変化に応じた前記原稿押さえ部材の開き角の変化量を抑制でき、良好な原稿セット性を確保することができる。
【図面の簡単な説明】
【００１８】
【図１】本発明に係る画像読取装置の外観斜視図。
【図２】本発明に係る画像読取装置の傾斜姿勢を示す外観斜視図。
【図３】本発明に係る画像読取装置の傾斜姿勢において筐体に対してカバーを開いた状態を示す外観斜視図。
【図４】本発明に係る画像読取装置における筐体の平面図。
【図５】画像読取装置におけるスタンドがスタンド収容部に収容された状態を示す斜視図。
【図６】画像読取装置におけるスタンドが筐体に対して旋回し、画像読取装置を傾斜姿勢に保持する状態を示す斜視図。
【図７】画像読取装置におけるカバーの回動軸側端部を示す側断面図。
【図８】筐体を傾斜姿勢とした際の筐体における接地側の端部を示す断面図。
【図９】第１の実施例に係る原稿押さえ部材の概要図。
【図１０】第１の実施例に係る原稿押さえ部材の概要図。
【図１１】（Ａ）は厚さの薄い原稿を載置面に載置する際の第１状態を示す側断面図であり、（Ｂ）は載置面に厚さの薄い原稿を載置し、カバーを筐体に対して閉じた状態を示す側断面図。
【図１２】（Ａ）は厚さのある原稿を載置面に載置する際の第１状態を示す側断面図であり、（Ｂ）は載置面に厚さのある原稿を載置し、カバーを筐体に対して閉じた状態を示す側断面図。
【図１３】（Ａ）は第２の実施例においてカバーが載置面に対して開いた状態におけるフックと付勢手段との関係を示す平面図であり、（Ｂ）は第２の実施例においてカバーが載置面に対して閉じた状態におけるカバーのフックと付勢手段との関係を示す平面図。
【図１４】第２の実施例においてカバーが載置面に対して閉じた状態におけるフックと付勢手段との関係を示す側断面図。
【発明を実施するための形態】
【００１９】
以下、本発明の実施の形態を図面に基づいて説明する。尚、各実施例において同一の構成については、同一の符号を付し、最初の実施例においてのみ説明し、以後の実施例においてはその構成の説明を省略する。
【００２０】
図１は本発明に係る画像読取装置の外観斜視図であり、図２は本発明に係る画像読取装置の傾斜姿勢を示す外観斜視図であり、図３は本発明に係る画像読取装置の傾斜姿勢において筐体に対してカバーを開いた状態を示す外観斜視図であり、図４は本発明に係る画像読取装置における筐体の平面図であり、図５は画像読取装置におけるスタンドがスタンド収容部に収容された状態を示す斜視図であり、図６は画像読取装置におけるスタンドが筐体に対して旋回し、画像読取装置を傾斜姿勢に保持する状態を示す斜視図である。
【００２１】
また、図７は画像読取装置におけるカバーの回動軸側端部を示す側断面図であり、図８は筐体を傾斜姿勢とした際の筐体における接地側の端部を示す断面図であり、図９は第１の実施例に係る原稿押さえ部材の概要図であり、図１０は第１の実施例に係る原稿押さえ部材の概要図であり、図１１（Ａ）は厚さの薄い原稿を載置面に載置する際の第１状態を示す側断面図であり、図１１（Ｂ）は載置面に厚さの薄い原稿を載置し、カバーを筐体に対して閉じた状態を示す側断面図である。
【００２２】
図１２（Ａ）は厚さのある原稿を載置面に載置する際の第１状態を示す側断面図であり、図１２（Ｂ）は載置面に厚さのある原稿を載置し、カバーを筐体に対して閉じた状態を示す側断面図であり、図１３（Ａ）は第２の実施例においてカバーが載置面に対して開いた状態におけるフックと付勢手段との関係を示す平面図であり、図１３（Ｂ）は第２の実施例においてカバーが載置面に対して閉じた状態におけるカバーのフックと付勢手段との関係を示す平面図であり、図１４は第２の実施例においてカバーが載置面に対して閉じた状態におけるフックと付勢手段との関係を示す側断面図である。
【００２３】
各図において示すＸ−Ｙ−Ｚ座標系はＸ方向が画像読取部の走査方向かつ装置幅方向、Ｙ方向が読み取り手段の移動方向かつ装置奥行き方向、Ｚ方向が載置面に直交する方向を示している。尚、本明細書において＋Ｙ軸方向側を装置背面側とし、−Ｙ軸方向側を装置前面側とする。
【００２４】
＜＜＜画像読取装置の概要＞＞＞
図１ないし図７を参照して、画像読取装置１０について説明する。画像読取装置１０は、筐体１２と、カバー１４と、原稿Ｓ（図８参照）を載置する「原稿台」としての載置面１６と、操作部１８と、読み取り手段２０とを備えている。
【００２５】
本実施例における画像読取装置１０は、後述するが載置面が略水平に設置される横置き状態で画像読取装置１０を使用する水平姿勢と、載置面が水平面に対して傾斜した状態で画像読取装置１０を使用する傾斜姿勢とを取り得る。
【００２６】
本実施例において筐体１２の上面には載置面１６（図３及び図４参照）が設けられている。本実施例において載置面１６は平坦かつ透明なガラス板により構成されており、その上面に画像を読み取る原稿Ｓを載置可能である。つまり、載置面１６は読み取り手段２０により原稿Ｓの読み取りが可能な読み取り領域として構成されている。
【００２７】
また、筐体１２の上面において装置前面側には画像読取装置１０を操作するための操作部１８（図３及び図４参照）が設けられている。操作部１８は、画像読取装置１０を操作するための電源スイッチや設定切換ボタン等を備えて構成されている。本実施例では図１に示すように操作部１８に設けられた複数のスイッチやボタンは、装置前面側（図１における−Ｙ軸方向側）から装置背面側（図１における＋Ｙ軸方向側）へ押すように構成されている。
【００２８】
また、図４に示すように筐体１２内には、載置面１６に載置された原稿Ｓの読み取り面を読み取るための読み取り手段２０が設けられている。読み取り手段２０は、案内部２２と、駆動機構２４と、画像読取部２６とを備えている。
【００２９】
本実施例において案内部２２は筐体１２内において装置奥行き方向に延設されている。案内部２２には駆動機構２４及び画像読取部２６が装置奥行き方向（図４におけるＹ軸方向）に往復移動可能に取り付けられている。本実施例では、一例として案内部２２と駆動機構２４とはラックアンドピニオンとして構成されている。つまり、駆動機構２４は、画像読取部２６を案内部２２に沿って往復動させることが可能である。
【００３０】
また、駆動機構２４には画像読取部２６が取り付けられている。画像読取部２６は、載置面１６に載置された原稿Ｓの読み取り面に光を照射し、原稿Ｓの読み取り面からの反射光を受光して原稿Ｓの情報を読み取る光学ユニットとして構成されている。また、画像読取部２６は、装置幅方向（図４におけるＸ軸方向）に延設されており、載置面１６の装置幅方向における長さに対応している。
【００３１】
また、筐体１２の裏面１２ａには、該裏面側に開口するスタンド収容部２８が設けられている。スタンド収容部２８には、旋回軸３０が設けられている。本実施例において旋回軸３０はスタンド収容部２８の底面に対して傾斜して設けられている。「保持手段」としてのスタンド３２は旋回軸３０を介して筐体１２の裏面１２ａに取り付けられている。
【００３２】
スタンド３２は、スタンド収容部２８に収容された状態（図５参照）と、筐体１２の裏面１２ａに対して傾斜した状態（図６参照）とを切換可能に構成されている。具体的には、スタンド３２は旋回軸３０を支点としてスタンド収容部２８に収容された状態から筐体１２の裏面１２ａに対して傾斜した状態へと旋回する。そして、スタンド３２が筐体１２の裏面１２ａに対して傾斜した状態では、画像読取装置１０を平面３４に対して傾斜した姿勢（図２及び図３参照）で保持することができる。
【００３３】
また、カバー１４は、筐体１２の装置背面側の端部に回動軸３６（図７参照）を介して取り付けられている。カバー１４は、回動軸３６を回動支点として筐体１２に対して回動可能であり、載置面１６に対して閉じた状態（図１及び図２参照）と、載置面１６に対して開いた状態（図３参照）とを取り得る。また、カバー１４において載置面１６と対向する側には原稿マット３８が取り付けられている。原稿マット３８は、例えばスポンジのような弾性体により構成されている。尚、本実施例では、カバー１４及び原稿マット３８が「開閉体」を構成する。
【００３４】
原稿マット３８は、カバー１４が載置面１６に対して閉じた姿勢（図１及び図２参照）となった際、載置面１６に載置された原稿Ｓを当該原稿Ｓが載置面１６から浮かないように載置面１６と反対側から一様に押圧する。そして、原稿マット３８により押圧された原稿Ｓの読み取り面が載置面１６に密着する。
【００３５】
また、図７に示すようにカバー１４の装置背面側の端部には回動軸３６が設けられ、筐体１２に連結されている。本実施例では、一例として筐体１２の装置背面側の端部には長穴４０が設けられている。長穴４０には回動軸３６が挿入されており、回動軸３６は長穴４０に沿って変位可能に構成されている。すなわち、カバー１４は回動軸３６を長穴４０に沿って変位させることにより、載置面１６に対して接離する方向に移動可能である。
【００３６】
したがって、図７に示すように回動軸３６が長穴４０において装置高さ方向下方に位置する状態、すなわちカバー１４が載置面１６に対して閉じた状態から、回動軸３６を長穴４０に沿って装置高さ方向上方へ符号３６′が付された位置まで変位させると、カバー１４は符号１４′が付された二点鎖線部の位置まで、載置面１６に対するカバー１４の姿勢を維持したまま変位させることができる。その結果、載置面１６とカバー１４′との間に厚さのある原稿をセットすることができ、画像読取装置１０は厚さのある原稿Ｓの読み取りを行うことができる。
【００３７】
また、図３に示すようにカバー１４の載置面１６と対向する側において、画像読取装置１０を傾斜姿勢とした場合の傾斜方向における下方側となる端部には、フック４２が設けられている。また、筐体１２には、画像読取装置１０を傾斜姿勢とした場合の傾斜方向における下方側となる端部に掛止部４４が設けられている。
【００３８】
カバー１４を筐体１２に対して回動させ、載置面１６に対して閉じた状態とした際、フック４２は掛止部４４と係合する。これにより、カバー１４は載置面１６に対して閉じた状態を保持することができる。
【００３９】
また、本実施例においてフック４２と掛止部４４との係合状態を解除するには、カバー１４を押圧して撓ませることにより、係合状態が解消される。これにより、カバー１４を載置面１６に対して閉じた状態から筐体１２に対して回動させて載置面１６に対して開いた状態へと切り換えることができる。本実施例において、フック４２と掛止部４４とは、一例としてスナップフィット機構として構成されている。
【００４０】
■■■第１の実施例■■■■
図３、図８ないし図１２（Ｂ）を参照して第１の実施例について説明する。画像読取装置１０を傾斜姿勢とした際、傾斜方向における載置面１６の下端には原稿Ｓの下端を支持する規制部４７（図８参照）が設けられている。本実施例において規制部４７は傾斜方向における載置面１６の下端側に位置するフレーム部材として構成されている。規制部４７において載置面１６と当接する部分には、原稿Ｓの下端を支持する支持面４６が設けられている。
【００４１】
また、筐体１２において傾斜方向における載置面１６の下端に対応する位置に原稿押さえ部材４８（図３参照）が設けられている。本実施例において原稿押さえ部材４８は、装置奥行き方向において載置面１６の全長にわたって延設されている。また、原稿押さえ部材４８は、その両端部に回動軸５０を備えている。回動軸５０は規制部４７に設けられた長穴５２に挿入されている。
【００４２】
つまり、原稿押さえ部材４８は回動軸５０を支点として規制部４７、ひいては載置面１６に対して回動可能に構成されている。また、回動軸５０には付勢手段５４が取り付けられている。本実施例において付勢手段５４は、一例としてねじりばねとして構成されている。原稿押さえ部材４８には第１被付勢部５６が設けられており、第１被付勢部５６は付勢手段５４の一端と係合している。つまり、第１被付勢部５６は付勢手段５４に付勢されている。
【００４３】
また、規制部４７には第２被付勢部５８が設けられており、第２被付勢部５８は付勢手段５４の一端と係合している。つまり、第２被付勢部５８は付勢手段５４に付勢されている。
【００４４】
尚、本実施例では付勢手段５４の付勢力は筐体１２と反対の側へ第１被付勢部５６及び第２被付勢部５８を付勢するので、回動軸５０は筐体１２側に向けて反力が作用する。言い換えると、回動軸５０は付勢手段５４により筐体１２側に付勢されている。
【００４５】
ここで、原稿押さえ部材４８の第１被付勢部５６に作用する付勢手段５４の付勢力Ｆは、回動軸５０を回動支点として原稿押さえ部材４８を図９における反時計回り方向に付勢している。つまり、原稿押さえ部材４８は載置面１６から離間する方向に付勢されている。
【００４６】
また、原稿押さえ部材４８には係合部６０が設けられている。係合部６０は第１係合部６２と、第２係合部６４とを備えている。本実施例において第１係合部６２と第２係合部６４とは互いに対向しつつ、原稿Ｓの厚み方向に間隔をおいて設けられている。
【００４７】
また、規制部４７には、規制部４７から第１係合部６２と第２係合部６４との間に突出し、回動軸５０の軸線方向に沿って延びるストッパー部６６が設けられている。
【００４８】
図１１（Ａ）及び図１１（Ｂ）を参照して載置面１６に厚さの薄い原稿Ｓをセットする場合について説明する。尚、本実施例において図１１（Ａ）及び図１１（Ｂ）における断面の位置は、説明のために装置奥行き方向において位置が異なっている。図１１（Ａ）に示すようにカバー１４を載置面１６に対して開いた状態とすると、原稿押さえ部材４８の第１被付勢部５６に付勢手段５４の付勢力Ｆが作用しているので、原稿押さえ部材４８は、回動軸５０を支点として図１１（Ａ）における反時計周り方向に回動する。つまり、原稿押さえ部材４８が載置面１６から離間する。
【００４９】
そして、原稿押さえ部材４８が載置面１６に対して所定の開き角を成すと、第１係合部６２がストッパー部６６と係合する。これにより、原稿押さえ部材４８の図１１（Ａ）における反時計周り方向への回動が規制される。その結果、原稿押さえ部材４８は載置面１６に対して所定の開き角を維持した状態となる。この状態（図１１（Ａ）の状態）を原稿押さえ部材４８の第１状態とする。
【００５０】
尚、本実施例において載置面１６に原稿Ｓをセットする際、原稿押さえ部材４８が第１の状態を取ると、原稿Ｓの下端が原稿押さえ部材４８により案内されて規制部４７の支持面４６に突き当たる。すなわち、原稿Ｓの載置面１６へのセットが容易となる。
【００５１】
次に図１１（Ｂ）を参照するに、カバー１４を筐体１２に対して回動させてカバー１４を載置面１６に対して閉じた状態とする。この際、カバー１４の載置面１６と対向する側、つまり原稿マット３８が原稿押さえ部材４８と係合して、原稿押さえ部材４８を載置面１６側に押し込む。これにより、原稿押さえ部材４８は、付勢手段５４の付勢力Ｆに抗して図１１（Ｂ）における時計回り方向に回動する。そして、原稿押さえ部材４８は、原稿Ｓの傾斜方向下端部と接触し、原稿Ｓの傾斜方向下端部を載置面１６に密着させる。
【００５２】
また、カバー１４を載置面１６に対して閉じた状態とすることにより、カバー１４のフック４２が筐体１２の掛止部４４と係合する。これにより、原稿押さえ部材４８は、原稿Ｓの傾斜方向下端部が載置面１６から浮くことを抑えることができる。また、カバー１４は、フック４２が掛止部４４と係合しているので、筐体１２の載置面１６に対して閉じた状態を維持する。尚、この状態を原稿押さえ部材４８の第２状態とする。
【００５３】
次いで、図１２（Ａ）及び図１２（Ｂ）を参照して、載置面１６に厚さのある原稿Ｓをセットする場合について説明する。尚、本実施例において図１２（Ａ）及び図１２（Ｂ）における断面の位置は、説明のために装置奥行き方向において位置が異なっている。カバー１４を載置面１６に対して開いた状態とすると、原稿押さえ部材４８は図１１（Ａ）の状態となる。そして、載置面１６と載置面１６に対して所定の開き角をなす原稿押さえ部材４８の間に厚さのある原稿Ｓをセットすると、原稿押さえ部材４８は原稿Ｓの角部と接触する。そして、原稿Ｓを規制部４７の支持面４６側に押し込むと、原稿押さえ部材４８が原稿Ｓの角部に押されて、回動軸５０は長穴５２に沿って載置面１６から離間する方向に変位する。
【００５４】
原稿押さえ部材４８の載置面１６から離間する方向への変位に伴って、第１係合部６２とストッパー部６６との係合は解消される。これにより、原稿押さえ部材４８の図１２（Ａ）の反時計周り方向への回動に対する規制がなくなる。さらに、原稿Ｓを規制部４７の支持面４６側に押し込むと、原稿押さえ部材４８の載置面１６から離間する方向への変位量が大きくなる。また、原稿押さえ部材４８はこの変位量に応じて、図１２（Ａ）の反時計周り方向へ回動する。
【００５５】
そして、図１２（Ａ）に示すように、ストッパー部６６は原稿押さえ部材４８の第２係合部６４と係合する。これにより、再度、原稿押さえ部材４８の図１２（Ａ）の反時計周り方向への回動が規制される。その結果、原稿押さえ部材４８は載置面１６に対して所定の開き角を維持した状態となり、第１状態を維持する。
【００５６】
そして、図１２（Ｂ）に示すように、カバー１４を筐体１２に対して回動させてカバー１４を載置面１６に対して閉じた状態とすると、カバー１４の載置面１６と対向する側、つまり原稿マット３８が原稿押さえ部材４８と接触して、原稿押さえ部材４８を載置面１６側に押し込む。これにより、原稿押さえ部材４８は、付勢手段５４の付勢力Ｆに抗して図１２（Ｂ）における時計回り方向に回動する。そして、原稿押さえ部材４８は、厚さのある原稿Ｓの傾斜方向下端部を載置面１６に密着させる。
【００５７】
また、カバー１４を載置面１６に対して閉じた状態とすることにより、カバー１４のフック４２が筐体１２の掛止部４４と係合する。これにより、原稿押さえ部材４８は、厚さのある原稿Ｓの傾斜方向下端部が載置面１６から浮くことを抑えることができる。
【００５８】
上記説明をまとめると、本実施例において載置面１６に対して所定の開き角を成す第１状態と、原稿Ｓの下端の、載置面１６からの浮きを抑える第２状態と、を切り換え可能な原稿押さえ部材４８は、付勢手段５４により第１状態に向けて付勢されているので、原稿Ｓのセット時に原稿押さえ部材４８を開く必要がない。また、載置面１６を開閉するカバー１４が閉じる際、当該カバー１４及び原稿マット３８が原稿押さえ部材４８と係合して原稿押さえ部材４８を第２状態に保持するので、原稿押さえ部材４８の第１状態から第２状態への切り換えも、それ単独で行う必要がない。以上により、操作性に優れ、且つ載置面１６からの原稿Ｓの滑り落ちを抑制或いは防止できる画像読取装置１０を提供することができる。
【００５９】
また、本実施例においてカバー１４が、筐体１２と係合してカバー１４の閉状態を維持するフック４２を備えているので、カバー１４が原稿押さえ部材４８から受ける反力によるカバー１４の浮き上がりを抑制し、即ち載置面１６からの原稿Ｓの浮き上がりを抑制して、良好な画像読取結果を得ることができる。
【００６０】
また、本実施例によれば、カバー１４の回動軸３６は、載置面１６に載置された原稿Ｓの厚み方向に変位可能に設けられているので、厚手の原稿Ｓに対応することができ、良好な画像読取結果を得ることができる。
【００６１】
また、本実施例によれば、原稿Ｓの厚みに応じ、ストッパー部６６と係合する係合部６０が第１係合部６２及び第２係合部６４のいずれかに切り換わる構成である為、原稿Ｓの厚みの変化に応じた原稿押さえ部材４８の開き角の変化量を抑制でき、良好な原稿セット性を確保することができる。
【００６２】
＜＜＜第１の実施例の変更例＞＞＞
（１）本実施例では、原稿押さえ部材４８は、装置奥行き方向において載置面１６の全長にわたって延設される構成としたが、この構成に代えて、装置奥行き方向において載置面１６の一部を覆う構成としてもよい。
（２）また、本実施例では、規制部４７にストッパー部６６を設ける構成としたが、筐体１２において係合部６０と係合可能な位置にストッパー部６６を設ける構成としてもよい。
【００６３】
■■■第２の実施例■■■■
図１３（Ａ）ないし図１４を参照して第２の実施例について説明する。第２の実施例では、カバー１４を筐体１２に対して閉じた状態とした際、付勢手段５４の付勢力Ｆを原稿押さえ部材４８からフック６８に切り換える点で第１の実施例と相違する。尚、図１４は図１３（Ｂ）におけるＡ−Ａ断面を示した図である。
【００６４】
図１３（Ａ）に示すように本実施例においてカバー１４には、フック６８が設けられている。フック６８はカバー１４において装置奥行き方向における付勢手段５４が設けられた位置に対応した位置に設けられている。また、フック６８には第３被付勢部７０が設けられている。
【００６５】
また、図１３（Ｂ）に示すようにフック６８は、カバー１４が載置面１６に対して閉じられた状態となると、筐体１２に設けられた掛止部７２と係合する。本実施例において掛止部７２は、一例として掛止位置（図１３（Ａ）及び図１３（Ｂ）における実線部）と非掛止位置（図１３（Ａ）及び図１３（Ｂ）における二点鎖線部）とを切換可能に構成されている。
【００６６】
ここで、掛止部７２は、一例として筐体１２に設けられ、筐体１２に対して進退可能な突出部（不図示）を押し込むことにより掛止位置と非掛止位置とを切り換えるように構成することができる。このような構成には、例えばプッシュラッチ機構がある。尚、本実施例では、ユーザーが突出部を操作することにより掛止部７２の掛止位置と非掛止位置とを切り換えることができ、フック６８の係合状態と非係合状態とを切り換えることができる。
【００６７】
また、フック６８は、掛止部７２を掛止位置から非掛止位置に切り換えることで掛止部７２との係合が解除される。そして、カバー１４を載置面１６に対して閉じた状態から開いた状態へ切り換えることができる。
【００６８】
ここで、図１３（Ａ）に示すようにカバー１４が載置面１６に対して開いた状態では、付勢手段５４の一端は原稿押さえ部材４８の第１被付勢部５６と接触し、原稿押さえ部材４８が載置面１６に対して所定の開き角を成すように、第１被付勢部５６を付勢力Ｆで付勢している。そして、図１３（Ｂ）に示すようにカバー１４が載置面１６に対して閉じた状態となると、フック６８が装置奥行き方向において付勢手段５４が設けられた位置に対応した位置に差し込まれる。
【００６９】
そして、フック６８の第３被付勢部７０が付勢手段５４の一端側の一部と接触し、当該一端部を第１被付勢部５６から離間する方向に押し込む。その結果、付勢手段５４の一端が原稿押さえ部材４８の第１被付勢部５６から離間する（図１３（Ｂ）及び図１４参照）。そして、付勢手段５４の一端は、フック６８の第３被付勢部７０を付勢力Ｆで付勢する。言い換えると、カバー１４を載置面１６に対して閉じた状態とすると、付勢手段５４は原稿押さえ部材４８を付勢する状態からフック６８を付勢する状態に切り換わる。
【００７０】
ここで、フック６８により、カバー１４が原稿押さえ部材４８から受ける反力によるカバー１４の浮き上がりを抑制できるが、反力によりカバー１４が変形すると、載置面１６からの原稿の浮き上がりが生じる。しかしながら、本実施例によればカバー１４が閉じた状態では、付勢手段５４は第３被付勢部７０、すなわちフック６８を付勢する状態に切り換わる為、カバー１４の変形を防止でき、ひいては載置面１６からの原稿Ｓの浮き上がりを抑制して、良好な画像読取結果を得ることができる。
【００７１】
画像読取装置１０は、原稿Ｓを載置する載置面１６および当該載置面１６に載置された原稿Ｓを読み取る読み取り手段２０が設けられた筐体１２と、筐体１２を傾斜姿勢に保持するスタンド３２と、傾斜姿勢にある載置面１６の下端に位置し、原稿Ｓの下端を支持する規制部４７と、載置面１６に対して所定の開き角を成す第１状態と、原稿Ｓの下端の、載置面１６からの浮きを抑える第２状態と、を切り換え可能な原稿押さえ部材４８と、原稿押さえ部材４８を第１状態に向けて付勢する付勢手段５４と、閉じた状態において原稿押さえ部材４８と係合して原稿押さえ部材４８を第２状態に保持する、載置面１６を開閉するカバー１４とを備えている。
【００７２】
画像読取装置１０において、カバー１４が筐体１２と係合してカバー１４の閉状態を維持するフック４２、６８を備えている。また、画像読取装置１０においてカバー１４が開いた状態から、閉じてフック６８が筐体１２と係合する過程において、付勢手段５４における原稿押さえ部材４８を付勢する一端がフック６８と係合してフック６８を付勢する状態に切り換わる。
【００７３】
画像読取装置１０において、カバー１４の回動軸３６は、載置面１６に載置された原稿Ｓの厚み方向に変位可能に設けられている。
【００７４】
また、画像読取装置１０は原稿押さえ部材４８と係合して当該原稿押さえ部材４８の第２状態を保持するストッパー部６６を備えている。また、原稿押さえ部材４８においてストッパー部６６と係合する係合部６０は、第１係合部６２と、当該第１係合部６２に対し原稿Ｓの厚み方向に間隔を空けて配置された第２係合部６４とを備えている。原稿Ｓの厚みに応じ、ストッパー部６６と係合する係合部６０が第１係合部６２及び第２係合部６４のいずれかに切り換わる。
【００７５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７６】
１０  画像読取装置、１２  筐体、１２ａ  裏面、１４、１４′  カバー、１６  載置面、
１８  操作部、２０  読み取り手段、２２  案内部、２４  駆動機構、２６  画像読取部、
２８  スタンド収容部、３０  旋回軸、３２  スタンド、３４  平面、
３６、３６′、５０  回動軸、３８  原稿マット、４０、５２  長穴、
４２、６８  フック、４４、７２  掛止部、４６  支持面、４７  規制部、
４８  原稿押さえ部材、５４  付勢手段、５６  第１被付勢部、５８  第２被付勢部、
６０  係合部、６２  第１係合部、６４  第２係合部、６６  ストッパー部、
７０  第３被付勢部、Ｆ  付勢力、Ｓ  原稿
【図１】
0006609953.tif 000002
【図２】
0006609953.tif 000003
【図３】
0006609953.tif 000004
【図４】
0006609953.tif 000005
【図５】
0006609953.tif 000006
【図６】
0006609953.tif 000007
【図７】
0006609953.tif 000008
【図８】
0006609953.tif 000009
【図９】
0006609953.tif 000010
【図１０】
0006609953.tif 000011
【図１１】
0006609953.tif 000012
【図１２】
0006609953.tif 000013
【図１３】
0006609953.tif 000014
【図１４】
0006609953.tif 000015